(57)【要約】【要約書】【課題】  通風のための通風口を設け、通風のために左右何方の手でも通風口の開閉を容易に行い通風をスムーズとすることが出来るコートの提供。【解決手段】  右前身頃３と左前身頃４と後身頃５と袖７とからなり、右前身頃３・左前身頃４と後身頃５を縫着して脇下に後脇線を設けたコート本体２に於いて、幅を後脇線より中央寄りに腰付近まで縮めた右前身１２・左前身１７と、右前身１２・左前身１７の縮めた脇下の部分からなる右細腹１３・左細腹１８とを縫着し前脇線１４を設けて右前身頃３・左前身頃４とし、前脇線１４上方の脇付近に無縫着によって通風口１５を設け、この通風口１５にファスナー１６を設けたものである。【選択図】図１
0003119078.tif 000002
【実用新案登録請求の範囲】
【請求項１】
右前身頃と左前身頃と後身頃と袖或は衿とからなり、右前身頃・左前身頃と後身頃を縫着して脇下に後脇線を設けたコート本体に於いて、幅を後脇線より中央寄りに腰付近まで下に行くに従い狭くなるよう縮めた右前身・左前身と、右前身・左前身の縮めた脇下の部分からなる右細腹・左細腹とを縫着し前脇線を設けて右前身頃・左前身頃とし、前脇線上方の脇付近に無縫着によって通風口を設け、この通風口にファスナーを設けたことを特徴とするコート。
【考案の詳細な説明】
【技術分野】
【０００１】  本考案は冬期に着用する衣類に於いて、着用時に生じる蒸れや暑苦しさを通風にて少しでも緩和し、気持ち良く着用出来るようにしたコートに関するものである。
【背景技術】
【０００２】  科学の発達に伴って仕事或はレジャーなどの日常生活が多様化してきている中で、衣類もそれぞれの目的に対応させてより着心地を良くするために幅広い分野にわたって色々研究され、最近では着用時に生じる蒸れや暑苦しさを緩和するため通風のために脇下の後脇線に開閉可能な通風口を設けた衣類も開発されてきている。
【考案が解決しようとする課題】
【０００３】  このように着用時に生じる蒸れや暑苦しさを緩和するため通風のために脇下の後脇線に開閉可能な通風口を設けた衣類も開発されてきているが、その通風口の開閉には同じ側の手では行なえないため必然的に互いに反対側の手で行っていた。
しかし反対側の手で開閉を行おうとしても反対側まで手を廻すため手が突っ張ったり、或は手首に無理な負担をかけたりしてスムーズに行なえず通風のために通風口を利用するに当たって非常に不都合を感じていた。
【課題を解決するための手段】
【０００４】  本考案はこのような不都合を解消し、デザイン或はシルエットを崩すことなく通風のための通風口を設け、通風のために左右何方の手でも開閉可能な通風口の開閉を容易に行い通風をスムーズとし、気持ち良く着用することが出来るコートを提供せんとするものである。
右前身頃と左前身頃と後身頃と袖或は衿とからなり、右前身頃・左前身頃と後身頃を縫着して脇下に後脇線を設けたコート本体に於いて、幅を後脇線より中央寄りに腰付近まで下に行くに従い狭くなるよう縮めた右前身・左前身と、右前身・左前身の縮めた脇下の部分からなる右細腹・左細腹とを縫着し前脇線を設けて右前身頃・左前身頃とし、前脇線上方の脇付近に無縫着によって通風口を設け、この通風口にファスナーを設けて通風口の開閉を可能としたものである。
尚、衿やポケット類の有無或はデザイン更にコート本体のデザインについては限定しないでどのようにしても良い。
【０００５】  使用に当っては、従来のコートと同じように着用すれば良い。
そして着用によって蒸れたり暑苦しく感じて風を通したくなると、ファスナーを移動して通風口を開けて風通しを良くする。
風が通って気持ち良くなり通風の必要が無くなると再度ファスナーを動かし通風口を閉じて元の状態に戻し普通のコートとして着用する。
【０００６】  このようにファスナーを動かす時、ファスナーの位置が脇下の後脇線より胸に近い左右前身側の前脇線上になっているので左右何方の手でも届き、無理をしないで動かすことが出来るため通風口の開閉を容易にし、通風を早くして気持ち良い状態を保つて着用し続けることが出来る。
又、ファスナーの位置を脇下の後脇線より胸に近い左右前身側の前脇線上としても、右細腹と左細腹によってデザインやシルエットを崩すことなくすっきりとしたコートに仕上げ着用することが出来る。
【考案の効果】
【０００７】  上述の如く本考案の請求項１に於いては、通風口の位置が脇下の後脇線より胸に近い前脇線上になっているので左右何方の手でもファスナーに手が届き、無理をしないで動かすことが出来るため通風口の開閉を容易にし、通風を早くして気持ち良い状態を保つて着用し続けることが出来ると共に、ファスナーの位置を脇下の後脇線より胸に近い前脇線上としても、右細腹と左細腹によってデザインやシルエットを崩すことなくすっきりとしたコートに仕上げ着用することが出来、快適な気分で旅行などのレジャーや日常活動など幅広い分野での使用が行なえるなど多くの特長があり実用上非常に優れた考案である。
【考案を実施するための最良の形態】
【０００８】  右前身頃と左前身頃と後身頃と袖或は衿とからなり、右前身頃・左前身頃と後身頃を縫着して脇下に後脇線を設けたコート本体に於いて、幅を後脇線より中央寄りに腰ポケット付近まで下に行くに従い狭くなるよう縮めた右前身・左前身と、右前身・左前身の縮めた脇下の部分からなる右細腹・左細腹とを縫着し前脇線を設けて右前身頃・左前身頃とし、前脇線上方の脇付近に無縫着によって通風口を設け、この通風口にファスナーを設けて通風口の開閉を可能としたものである。
【実施例１】
【０００９】  以下本考案の一実施例を図面について説明する。
図中１はコート全体を示し、２は右前身頃３と左前身頃４と後身頃５と衿６と袖７とからなるコート本体であって、右前身頃３・左前身頃４と後身頃５を縫着して脇１０下に後脇線１１を設け、ファスナー付きの胸ポケット８を左前身頃４の胸付近に縦状に設けると共に、腰ポケット９を右前身頃３と左前身頃４に下側が少し開くよう左右対称に腰付近に設けている。【００１０】  ３は幅を後脇線１１より中央寄りに腰付近まで下に行くに従い狭くなるよう縮めた右前身１２と、右前身１２の後脇線１１より縮めた脇１０下の部分からなる右細腹１３とを縫着し前脇線１４としてなる右前身頃であって、右前身１２と右細腹１３の前脇線１４上方の脇１０付近に無縫着によって通風口１５を設け、この通風口１５にファスナー１６を設けて通風口１５の開閉を可能としている。【００１１】  ４は幅を後脇線１１より中央寄りに腰ポケット９付近まで下に行くに従い狭くなるよう縮めた左前身１７と、左前身１７の後脇線１１より縮めた脇１０下の部分からなる左細腹１８とを縫着し前脇線１４としてなる左前身頃であって、左前身１７と左細腹１８の前脇線１４上方の脇１０付近に無縫着によって通風口１４を設け、この通風口１５にファスナー１６を設けて通風口１５の開閉を可能としている。【００１２】  使用に当っては、従来のコートと同じように着用すれば良い。
そして着用によって蒸れたり暑苦しく感じて風を通したくなると、ファスナー１６を移動して通風口１５を開けて風通しを良くする。
風が通って気持ち良くなり通風の必要が無くなると再度ファスナー１６を動かし通風口１５を閉じて元の状態に戻し普通のコートとして着用する。【００１３】  このようにファスナー１６を動かす時、ファスナー１６の位置が脇１０下の後脇線１１より胸に近い左右前身側の前脇線１４上になっているので左右何方の手でも届き、無理をしないで動かすことが出来るため通風口１５の開閉を容易にし、通風を早くして気持ち良い状態を保って着用し続けることが出来る。
又、ファスナー１６の位置を脇１０下の後脇線１１より胸に近い左右前身側の前脇線１４上としても、右細腹１２と左細腹１７によってデザインやシルエットを崩すことなくすっきりとしたコートに仕上げ着用することが出来る。
【産業上の利用可能性】
【００１４】  コートとして日常活動など幅広い分野で着用することが出来る。
【図面の簡単な説明】
【００１５】
【図１】本考案実施例１の一部を破断した正面図
【図２】本考案実施例１の一部を破断した左前身頃と後身頃の展開図
【符号の説明】
【００１６】  １    コート
２    コート本体
３    右前身頃
４    左前身頃
５    後身頃
６    衿
７    袖
８    胸ポケット
９    腰ポケット
１０    脇
１１    後脇線
１２    右前身
１３    右細腹
１４    前後脇線
１５    通風口
１６    ファスナー
１７    左前身
１８    左細腹
【図１】
0003119078.tif 000003
【図２】
0003119078.tif 000004